(57)【要約】      （修正有）【課題】静止画像および動画像ともに、低処理量で、撮影者が意図した方向で画像再生を行う。【解決手段】 撮影時には、画像の上方向（天地方向）を示す情報を撮影者が方向指示部６から指定可能とし、その方向指示情報を画像データと共に画像記録部７に記録保持する。このとき、画像データは、向きを回転させずにそのまま保存する。画像表示時には、画像データと共に保持されている方向指示情報を参照して、画像データを必要に応じて回転させる。画像印刷時には、方向指示情報に関わらず、画像を回転させない。【選択図】  図１
2006025058.tif 000002
【特許請求の範囲】
【請求項１】
静止画像および動画像のいずれかを撮影する撮影部と、
撮影時に画像の向きを指定するための方向指示部と、
該方向指示部で指定された方向を方向指示情報として、該撮影部で撮影した画像データと共に記録保持する画像記録部とを有する画像撮影装置。
【請求項２】
前記方向指示情報を前記画像データと共に通信路を介して送受信可能とする送受信部を更に有する請求項１に記載の画像撮影装置。
【請求項３】
前記方向指示部は、シャッターボタンおよび録画開始ボタンのいずれかの機能を兼用し、かつ前記画像の向きに対応付けられて複数設けられている請求項１または２に記載の画像撮影装置。
【請求項４】
前記画像の向きとは該画像の天地方向である請求項１〜３のいずれかに記載の画像撮影装置。
【請求項５】
請求項１〜４のいずれかに記載の画像撮影装置により撮影された画像データから表示用データを生成する画像生成装置であって、
該画像データと共に前記方向指示情報を保持する画像データ保持部と、
該画像データ保持部から該方向指示情報を参照する方向参照部と、
該画像データ保持部から該画像データを読み出して、該方向参照部で参照された方向指示情報に基づく画像の向きにより該画像データを必要に応じて回転させて表示用データを生成する画像構成部とを有する画像生成装置。
【請求項６】
請求項５に記載の画像生成装置と、該画像生成装置で生成された表示用データを表示画面上に表示する表示部とを有する画像表示装置。
【請求項７】
請求項１〜４のいずれかに記載の画像撮影装置により撮影された画像データから印刷用データを生成する画像生成装置であって、
該画像データを保持する画像データ保持部と、
該画像データ保持部から該画像データを読み出して、前記方向指示情報に関わらず印刷用データを生成する画像構成部とを有する画像生成装置。
【請求項８】
請求項７に記載の画像生成装置と、該画像生成装置で生成された印刷用データを用紙上に印刷するプリンタ部とを有する画像印刷装置。
【請求項９】
静止画像および動画像のいずれかを撮影する撮影ステップと、
撮影時に画像の向きを指定する方向指示指令を出力可能とする方向指示ステップと、
該方向指示ステップで出力指定された方向を方向指示情報として、該撮影ステップで撮影した画像データと共に記録保持する画像記録ステップとを有する画像撮影方法。
【請求項１０】
前記方向指示情報を前記画像データと共に通信路を介して送受信する送受信ステップを更に有する請求項９に記載の画像撮影方法。
【請求項１１】
請求項９または１０に記載の画像撮影方法により得られた画像データから表示用データを生成する画像生成方法であって、
該画像データと共に保持されている前記方向指示情報を参照する方向参照ステップと、
画像データを読み出して、該方向参照ステップで参照された方向指示情報に基づく画像の向きにより該画像データを必要に応じて回転させて表示用データを生成する画像構成ステップとを有する画像生成方法。
【請求項１２】
請求項９または１０に記載の画像撮影方法により得られた画像データから印刷用データを生成する画像生成方法であって、
該画像データを読み出して、前記方向指示情報に関わらず印刷用データを生成する画像構成ステップを有する画像生成方法。
【請求項１３】
請求項９または１０に記載の画像撮影方法の各処理ステップをコンピュータに実行させるための制御プログラム。
【請求項１４】
請求項１１または１２に記載の画像生成方法の各処理ステップをコンピュータに実行させるための制御プログラム。
【請求項１５】
請求項１３または１４に記載の制御プログラムが格納されたコンピュータ読み取り可能な可読記憶媒体。
【発明の詳細な説明】
【技術分野】
【０００１】
本発明は、例えばデジタルカメラ、デジタルビデオカメラおよびカメラ機能付き携帯電話器などのようにデジタル画像を撮影可能とする画像撮影装置およびその画像撮影方法、その画像撮影装置により得られた画像データから表示用データまたは印刷用データを生成する画像生成装置およびその画像生成方法、その画像生成装置で得られた表示用データをモニタなどに表示する画像表示装置、その画像生成装置で得られた印刷用データをプリンタなどで用紙上に印刷する画像印刷装置、それらの方法をコンピュータによって処理するための制御プログラムおよびその制御プログラムが格納された可読記憶媒体に関する。
【背景技術】
【０００２】
近年、デジタルカメラが普及してきており、撮影された映像（画像）をパーソナルコンピュータ（ＰＣ）によって観賞するだけでなく、より多人数による観賞に適したテレビジョン装置をモニタとして利用するような楽しみ方が一般的になってきている。その一方で、デジタルカメラ、デジタルビデオカメラおよびカメラ機能付き携帯電話器などの普及が著しく、撮影された画像データ（写真）を通信路を介して送受信して楽しむようなコミュニケーション方法も広がってきている。
【０００３】
このような広がりの要因としては、機器の低価格化も大きい要因であるが、それに加えてカメラ機能付き携帯電話器やデジタルカメラなどの撮影機器の小型化も大きな要因になっている。その結果、撮影方法についても自由度が高まってきており、例えば機器を縦向きに配置して使用することも、横向きに配置して使用することも可能である。このため、撮影された画像は、画像の上方が短辺方向である縦長の画像と、画像の上方が長辺方向である横長の画像とが混在することになる。
【０００４】
このようにして撮影された画像を、ＰＣ（パーソナルコンピュータ）やＴＶ（テレビジョン装置）などによって観賞しようとすると、撮影画像の本来の上方向と表示機器の上方向とが同一である場合には問題が生じないが、撮影画像の本来の上方向と表示機器の上方向とが一致しない場合には、例えば撮影時に上方向であった部分が表示装置の左右に位置して表示されることになり、支障が生じる。
【０００５】
この問題を解決するために、例えば特許文献１には、保存する画像データの向きを指定する指定手段と、撮影された画像データの向きを指定方向に変換する画像方向変換手段を設けて、画像データを指示方向に画像変換する手段を用いて画像の向きが変換された画像データを保存するデジタルカメラが開示されている。このデジタルカメラによれば、撮影時に画像の上方がどの方向であるかを撮影者が指定することによって、撮影者が意図する向きに画像データを保存することができる。
【特許文献１】特開２００２−２１８３８３号公報
【発明の開示】
【発明が解決しようとする課題】
【０００６】
上記特許文献１に開示されている従来技術では、撮影者が意図する画像の向きに撮影画像を再生することが可能になるが、使用条件によっては以下のような問題が生じる。
【０００７】
例えばデジタルカメラのように一般に組み込み機器と称される電子情報機器に対しては、消費電力やコストの面から、高速処理可能な信号処理装置を搭載することが困難である。上記特許文献１に開示されている画像方向変換手段では、画像データバッファからの出力を信号処理することになる。このような画像方向変換処理を撮影時に行なうためには、これまで不要であった処理を追加することになるため、この画像変換処理を追加しても従来と同様の速度で処理を行うことが可能なように、高速処理可能なシステムを搭載する必要がある。
【０００８】
しかしながら、画像の再生時に比べて、画像の撮影時にはその瞬間を撮影したいという要求が強いため、処理速度に時間がかかることは好ましくない。また、野外でバッテリーを使用して撮影することも多く、画像変換処理のために多大な電力を必要とする方法は不適切である。
【０００９】
また、画像変換のためには、画素数に比例した処理が必要とされるため、画素数の増加に伴って、処理量も増加してしまうという問題がある。
【００１０】
近年、携帯電話器に搭載されているカメラであっても、２００万画素が一般的になりつつあり、本格的なものでは６００万画素を越えるようなデジタルカメラも用いられている。今後、このような高画素化の傾向は益々強くなることが予想されるため、画素数に比例して処理量が増加する方法には問題がある。
【００１１】
また、特許文献１では言及されていないが、この従来技術を動画に適用しようとすると、さらに以下のような問題が生じる。画像変換処理に必要な時間は、その動画の撮影時間に比例するため、長時間の動画を撮影したものを画像変換する際には、この方法は現実的ではない。したがって、組み込み機器などに適した低処理量で、かつ、動画にも適用可能な方法が求められている。
【００１２】
さらに、特許文献１に開示されている従来技術では、撮影画像は縦長画像および横長画像の２種類が混在することになる。撮影画像を印刷して参照する場合には、印刷物を回転させれば画像を自由な方向に向けて参照することができるため、本来の画像が縦長の画像であるか横長の画像であるかについては問題とならない。しかしながら、縦長画像と横長画像とが混在している場合、プリンタによっては、縦長方向に紙を準備したにも関わらず、横長の画像が印刷されたり、またはその逆の状態となることがある。このため、、撮影画像を一度に印刷しようとすると、ユーザによって事前に縦長画像と横長画像とを分別してから、それらをグループ毎に印刷するなど、繁雑な手順を経なければならない。
【００１３】
さらに、画像の撮影時には、通常の撮影に必要とされるシャッターボタンの押下に加えて、画像の方向（画像の向き）を指定することも必要となる。この方法によれば撮影画像の天地方向を指定することは可能であるが、通常のカメラに比べて操作性と手順とが著しく異なることから、撮影者が操作に慣れるまでに時間を要し、画像の撮影時に撮影者が意図とは異なった方向を指定する虞もある。
【００１４】
本発明は、上記従来の問題を解決するもので、低処理量で、かつ、動画にも適用可能で、撮影者が意図した画像の方向で画像再生を容易に行うことができる画像撮影装置、画像生成装置、画像表示装置、画像印刷装置、画像撮影方法、画像生成方法、この方法を処理するための制御プログラムおよびこの制御プログラムが格納されたコンピュータ読み取り可能な可読記憶媒体を提供することを目的とする。
【課題を解決するための手段】
【００１５】
本発明の画像撮影装置は、静止画像および動画像のいずれかを撮影する撮影部と、撮影時に画像の向きを指定するための方向指示部と、該方向指示部で指定された方向を方向指示情報として、該撮影部で撮影した画像データと共に記録保持する画像記録部とを有しており、そのことにより上記目的が達成される。
【００１６】
また、好ましくは、本発明の画像撮影装置における方向指示情報を前記画像データと共に通信路を介して送受信可能とする送受信部を更に有する。
【００１７】
さらに、好ましくは、本発明の画像撮影装置における方向指示部は、シャッターボタンおよび録画開始ボタンのいずれかの機能を兼用し、かつ前記画像の向きに対応付けられて複数設けられている。即ち、シャッターボタンおよび録画開始ボタンのいずれかは、前記画像の向きに対応付けられて前記方向指示部として複数設けられている。
【００１８】
さらに、好ましくは、本発明の画像撮影装置において、前記画像の向きとは該画像の天地方向である。
【００１９】
本発明の画像生成装置は、請求項１〜４のいずれかに記載の画像撮影装置により撮影された画像データから表示用データを生成する画像生成装置であって、該画像データと共に前記方向指示情報を保持する画像データ保持部と、該画像データ保持部から該方向指示情報を参照する方向参照部と、該画像データ保持部から該画像データを読み出して、該方向参照部で参照された方向指示情報に基づく画像の向きにより該画像データを必要に応じて回転させて表示用データを生成する画像構成部とを有しており、そのことにより上記目的が達成される。
【００２０】
本発明の画像表示装置は、請求項５に記載の画像生成装置と、該画像生成装置で生成された表示用データを表示画面上に表示する表示部とを有しており、そのことにより上記目的が達成される。
【００２１】
本発明の画像生成装置は、請求項１〜４のいずれかに記載の画像撮影装置により撮影された画像データから印刷用データを生成する画像生成装置であって、該画像データを保持する画像データ保持部と、該画像データ保持部から該画像データを読み出して、前記方向指示情報に関わらず印刷用データを生成する画像構成部とを有しており、そのことにより上記目的が達成される。
【００２２】
本発明の画像印刷装置は、請求項７に記載の画像生成装置と、該画像生成装置で生成された印刷用データを用紙上に印刷するプリンタ部とを有し、そのことにより上記目的が達成される。
【００２３】
本発明の画像撮影方法は、静止画像および動画像のいずれかを撮影する撮影ステップと、  撮影時に画像の向きを指定する方向指示指令を出力可能とする方向指示ステップと、該方向指示ステップで出力指定された方向を方向指示情報として、該撮影ステップで撮影した画像データと共に記録保持する画像記録ステップとを有し、そのことにより上記目的が達成される。
【００２４】
また、好ましくは、本発明の画像撮影方法における方向指示情報を前記画像データと共に通信路を介して送受信する送受信ステップを更に有する。
【００２５】
本発明の画像生成方法は、請求項９または１０に記載の上記画像撮影方法により得られた画像データから表示用データを生成する画像生成方法であって、該画像データと共に保持されている前記方向指示情報を参照する方向参照ステップと、画像データを読み出して、該方向参照ステップで参照された方向指示情報に基づく画像の向きにより該画像データを必要に応じて回転させて表示用データを生成する画像構成ステップとを有し、そのことにより上記目的が達成される。
【００２６】
本発明の画像生成方法は、請求項９または１０に記載の上記画像撮影方法により得られた画像データから印刷用データを生成する画像生成方法であって、該画像データを読み出して、前記方向指示情報に関わらず印刷用データを生成する画像構成ステップを有し、そのことにより上記目的が達成される。
【００２７】
本発明の制御プログラムは、請求項９または１０に記載の上記画像撮影方法の各処理ステップをコンピュータに実行させるためのものであり、そのことにより上記目的が達成される。
【００２８】
本発明の制御プログラムは、請求項１１または１２に記載の上記画像生成方法の各処理ステップをコンピュータに実行させるためのものであり、そのことにより上記目的が達成される。
【００２９】
本発明の可読記憶媒体は、請求項１３または１４に記載の上記制御プログラムが格納されたコンピュータ読み取り可能な可読記憶媒体であって、そのことにより上記目的が達成される。
【００３０】
上記構成により、以下に、本発明の作用について説明する。
【００３１】
本発明にあっては、特許文献１のように撮影された画像データの方向（画像の向き）を変換して保存するのではなく、画像自体は方向を変換せずに撮影したまま画像データとして保存しておき、撮影画像の属性情報の一つとして、その画像において本来上（または下）である方向（天地方向）を示す方向指示情報を撮影者が指示し、その指示された方向指示情報を画像データと共に保持する。これを表示時に、この方向指示情報を参照して画像データを必要に応じて回転（画像の向きを変更）させて表示用データを生成する。
【００３２】
特許文献１のように画像データの向きを変換する処理に比べると、撮影時には画像の天地方向を設定した方向指示情報を画像データと共に保持するだけであるからその処理量が圧倒的に少なく、静止画像と同様に動画像を撮影した場合にも、属性として再生時に本来上（または下）である方向を示す情報を保持することができる。さらに、途中で機器（例えばカメラ）を回転させた場合などのように、撮影時の上方向が変化しなければ、長時間撮影の動画像であっても、画像の天地方向を設定する処理時間は一定であり、わずかの処理量でよい。
【００３３】
したがって、撮影時の処理は最小限でよく、このために高速処理可能な信号処理装置を用いる必要はない。一般に、デジタル画像の信号処理においては、撮影時のエンコード処理の方が、再生時のデコード処理よりも処理量が多い。このため、撮影時の処理の追加は、機器の能力に影響を与えることが多い。
【００３４】
しかしながら、デコード時には、エンコード時よりも処理量が少なく、エンコード処理とデコード処理の両方を行うことが可能な機器においては、デコード時における処理量の多少の増加は、機器のシステム構成に影響を与えない。このことからも、録画・撮影時に多くの処理を行なうのではなく、再生・参照時に処理を行なうことが好ましいと言える。
【００３５】
本発明による信号処理時間は、上述したように動画像の撮影時間に依存せず、また、静止画像の場合には画素数に依存して処理時間が増加することもない。これは、撮影時には画像データの向きを変換しないためである。
【００３６】
このように、撮影時に画像データの向きを変更しないことから、印刷時にもメリットがある。例えば、画像印刷装置では、画像データの天地方向を示す方向指示情報によらず、画像を回転させずに印刷用データを生成することによって、全ての画像を例えば横長画像として処理することが可能である。画像を回転させてしまうと、縦長画像と横長画像とが混在するおそれがあるが、本発明によれば、方向を示す属性情報（方向指示情報）の値は混在していても、画像の方向は混在せずに横長画像または縦長画像として処理することができるため、プリンタ装置などで印刷する場合に画像の方向を考慮する必要はなく、また、用紙の向きと画像の向きとを合わせる必要もない。
【００３７】
本発明において、方向指示部としては、特別の方向指示装置を設けることも可能であるが、デジタルカメラのシャッターボタンやビデオカメラの録画開始ボタンを方向指示部として兼用してもよい。例えば、撮影機器の複数箇所にシャッターボタンまたは録画開始ボタンを設けて、どのボタンを用いるかによって、天地方向を決定することができる。通常、カメラを構えた場合には、例えば右上にシャッターボタンがあることが多い。
【００３８】
したがって、例えばカメラ右上のボタンを使用した場合には、通常のカメラの上方が撮影画像の上方であると設定することができる。また、カメラ右下のボタンを使用した場合には、カメラを縦向きに配置したときにシャッターボタンが押下げ易い位置となることから、画像の右側を上方にして表示するように設定することができる。
【発明の効果】
【００３９】
以上説明したように、本発明によれば、静止画像だけでなく、動画像についても、撮影者が意図した方向で再生することが可能となる。このとき、撮影・録画時の処理量は最低限で済むため、従来と同様の機器構成および消費電力で実施することが可能である。
【００４０】
また、撮影時に画像データの方向を変化させないため、印刷時に用紙の縦方向と横方向とを混在させたり、画像の種類毎に分割して印刷処理する必要もない。
【００４１】
方向指示部としてシャッターボタンまたは録画開始ボタンを兼用することによって、再生時に天地方向を指定するための特別な処理も不要となり、使用者が操作のために混乱しないという利点もある。
【００４２】
本発明は、静止画像だけではなく、動画像にも適用可能であり、動画像撮影時には、撮影時間に比例することなく、画像の天地方向を再生のために指定することが可能であり、機器の低消費電力化に寄与することが可能である。したがって、ＩＰテレビ電話器のように、動画像を扱う機器において低消費電力化が要求される場合には、非常に有効である。
【発明を実施するための最良の形態】
【００４３】
以下に、本発明の画像撮影装置の実施形態１−１、２−１および３、本発明の画像生成装置を含む画像表示装置の実施形態１−２および２−２、本発明の画像生成装置を含む画像印刷装置の実施形態１−３および２−３について、図面を参照しながら詳細に説明する。
（実施形態１−１）
本実施形態１−１では、撮影した静止画像の属性情報の一つとして、本来上（または下）である方向（天地方向）を示す情報を撮影者が指定して、その方向指示情報を静止画像データと共に保持する場合の静止画像の画像撮影装置について説明する。
【００４４】
図１は、本実施形態１−１の画像撮影装置の基本構成例を示すブロック図である。
【００４５】
図１に示すように、画像撮影装置１０は、シャッターボタン１と、撮影部２と、画像入力部３と、画像構成部４と、画像出力部５と、方向指示部６と、画像記録部７とを有し、撮影部２で撮影した静止画像自体はその向きを変えずに撮影したままの画像として画像記録部７に保存しておき、撮影静止画像の属性情報の一つとして、本来上辺（または下辺）である方向（天地方向）を示す情報を撮影者が方向指示部６から入力指定した方向指示情報を画像データと共に画像記録部７に保持するものである。
【００４６】
上記構成により、操作者のシャッターボタン１の操作により撮影指示されると、撮影部２で画像が撮影される。撮影された画像が画像データとして画像入力部３に入力される。この画像入力部３から入力された画像データは、画像構成部４によって実際の画像を表す画像データに構成される。例えば、ＣＣＤのベイヤデータからＲＧＢデータなどに変換される。画像構成部４で構成された画像データは、画像出力部５から外部メモリカードなどの画像記録部７に保存される。
【００４７】
ここまでは通常のデジタルカメラなどの機能と類似しているが、本実施形態１の画像撮影装置１０では、さらに、方向指示部６によって指定された画像の天地方向（画像の向き）を示す方向指示情報が、撮影された静止画像の画像データと共に画像記録部７に記録される点が異なっている。
【００４８】
図２は、図１の画像撮影装置１０の具体的構成例を示すブロック図である。
【００４９】
図２に示すように、画像撮影装置１０は、シャッターボタン１と、イメージセンサ２ａおよびレンズ２ｂを有する撮影部２と、ＣＰＵ４ａおよび、ＲＯＭ／ＲＡＭ４ｂを含む内部メモリを有する画像構成部４と、方向指示部６と、画像記録部７としての外部記憶装置７ａとがそれぞれバスライン８を介して接続されている。
【００５０】
この画像撮影装置１０における各処理は、ＲＯＭ／ＲＡＭ４ｂのＲＯＭに格納されている制御プログラムおよびそれに用いるデータを用いて、ＣＰＵ４ａによって制御される。
【００５１】
操作者がシャッターボタン１を押し下げると、これが割込み信号としてバスライン８を介してＣＰＵ４ａに伝えられる。このとき、ＣＰＵ４ａは、光学レンズ２ｂを通してイメージセンサ２ａに蓄えられた画像データをＲＯＭ／ＲＡＭ４ｂのＲＡＭに一時保存させている。このＲＡＭに保存された画像データは、ＣＰＵ４ａによって適切な画像処理が行われ、外部記憶装置７に保存される。撮影された画像（写真）を画像データとして保存する際には、方向指示部６から指定された画像の天地方向を示す情報（方向指示情報）が取得され、この方向指示情報が画像データと共に外部記憶装置７ａに書き込まれる。なお、画像データおよび方向指示情報は、図示しない送受信部を更に設けて通信路上に伝送して送受信するようにしてもよい。
【００５２】
上記構成により、以下に、本実施形態１の画像撮影装置１０による画像撮影動作について説明する。
【００５３】
図３は、図１および図２の画像撮影装置１０における画像撮影動作の各処理手順を示すフローチャートである。この各処理手順は、例えばＲＯＭ／ＲＡＭ４ｂのＲＯＭに制御プログラムとして格納されており、ＣＰＵ４ａによってこの制御プログラムが参照されて各処理が行われる。
【００５４】
図３に示すように、まず、ステップＳ１において、撮影処理は、シャッターボタン１を押下することにより、通常のデジタルカメラと同様の処理手順により行われる。
【００５５】
次に、ステップＳ２において、方向指示情報の取得および保存が行われる。これにより、撮影処理を行う際に撮影者によって方向指示部６から入力指定された画像の天地方向（画像の上辺方向または下辺方向）を示す情報（方向指示情報）が取得され、その情報が画像データの属性の一つとして外部記憶装置７ａに画像データと共に保存される。
【００５６】
その後、ステップＳ３において、画像データの取得および保存についても、通常のデジタルカメラの場合と同様の処理手順により行われる。
【００５７】
以上のように、本実施形態１によれば、画像自体は、撮影時の信号処理のときに方向（画像の向き）を変換せずに撮影したままの画像データで保存しておき、撮影画像の属性情報の一つとして、その画像において本来上（または下）である方向（天地方向）を示す方向指示情報を撮影者が入力指定して、その入力指定した方向指示情報を画像データと共に保持するようにしているため、画像撮影時の処理は最小限で良く、従来のように高速処理可能な信号処理装置を用いる必要がない。
（実施形態１−２）
本実施形態１−２では、撮影画像の表示時に方向指示情報を参照して画像データを必要に応じて回転させて表示用データを生成する画像表示装置について説明する。
【００５８】
図４は、本実施形態１−２の画像表示装置の基本構成例を示すブロック図である。
【００５９】
図４に示すように、画像表示装置２０は、画像データ保持部２１ａと、方向参照部２１ｂと、画像構成部２１ｃと、画像出力部２１ｄとを含む画像生成装置２１と、表示部としての画像出力装置２２とを有し、撮影画像の向きを指定して静止画像を表示画面上に表示する。
【００６０】
画像データ保持部２１ａは、例えば外部メモリカードなどで構成されており、本発明の画像撮影装置１０によって撮影された画像データを保持する。この画像データ保持部２１ａには、画像データと共に、その画像がどのような方向で表示されるべきかを示す情報（方向指示情報；画像の上辺または下辺の位置情報）も保持されている。この方向指示情報が方向参照部２１ｂによって参照される。
【００６１】
画像構成部２１ｃでは、画像データ保持部２１ａに保持されている画像データが読み取られ、方向参照部２１ｂからの方向指示情報にしたがって本来上方向（または下方向）であるべき辺が上（または下）に表示されるように、必要であれば画像の向きが回転されて表示用データとして構成される。必要なければ画像の向きは回転されずにそのまま表示用データとして構成される。この表示用データは、画像出力部２１ｄから出力されて、液晶表示装置などの画像出力装置２２に送出される。このような画像の回転処理については、従来から用いられている変換処理方法を用いて行うことができるため、ここでは詳細な説明は省略する。
【００６２】
なお、例えば撮影された画像データをテレビジョン装置で参照するような場合には、機器に画面表示させる必要がない。よって、この場合には、画像出力装置２２を設けずに、画像データ保持部２１ａと、方向参照部２１ｂと、画像構成部２１ｃと、画像出力部２１ｄとを含む画像生成装置２１だけで画像生成装置として構成してもよい。この場合、画像出力部２１ｄからの出力信号が適切な形式でテレビジョン装置などの外部表示装置に送出されてその表示画面上に表示される。
【００６３】
上記構成により、以下に、本実施形態１−２の画像表示装置２０による画像表示動作について説明する。
【００６４】
図５は、本実施形態１−２の画像表示装置２０における画像表示動作の処理手順を示すフローチャートである。この処理手順は、例えば画像構成部２１ｃに設けられたＲＯＭに制御プログラムとして格納されており、画像構成部２１ｃに設けられたＣＰＵによってこの制御プログラムが参照されて各処理ステップが行われる。
【００６５】
図５に示すように、まず、ステップＳ１１において、画像データ保持部２１ａに保持されている画像データの属性の一つである方向指示情報が方向参照部２１ｂに読み出される。
【００６６】
次に、ステップＳ１２において、画像データ保持部２１ａに保持されている画像データが画像構成部２１ｃに読み出される。この順序は入れ替わってもよい。
【００６７】
さらに、ステップＳ１３において、ステップＳ１２で読み出された画像データを画像構成部２１ｃによって構成する際に、ステップＳ１１で読み出された方向指示情報が参照され、その情報にしたがって必要に応じて画像の向きが回転される。なお、カメラの撮影方向によっては、回転させる必要がない場合もあり、そのときには画像の向きが回転されずにそのまま表示される。また、画像の天地方向を示す方向指示情報が存在しない場合にも同様である。
【００６８】
その後、ステップＳ１４において、回転済の画像データ（表示用データ）が画像出力装置２２に供給されて画像がその表示画面上に表示される。
【００６９】
以上のように、本実施形態２によれば、画像撮影装置１０で撮影された画像の表示時に、方向指示情報を参照して画像データを必要に応じて回転させて表示用データを生成することができる。このため、撮影者が意図した方向で画像を再生することができる。
（実施形態１−３）
本実施形態１−３では、画像データのみを参照し、表示の場合のように方向指示情報によらずに画像の回転を行わないため、画像撮影装置１０で撮影した同一形状の長辺と短辺の向きが揃った静止画像を用紙上に印刷する画像印刷装置について説明する。
【００７０】
図６は、本実施形態１−３の画像印刷装置の基本的構成例を示すブロック図である。
【００７１】
図６に示すように、画像印刷装置３０は、画像データ保持部３１ａと、画像構成部３１ｂと、画像出力部３１ｃとを含む画像生成装置３１と、印刷部としてのプリンタ装置３２とを有し、画像撮影装置１０で撮影した同一形状の長辺と短辺の向きが揃った静止画像を紙面上に印刷する。
【００７２】
画像データ保持部３１ａは、例えば外部メモリカードなどであり、本実施形態１−１の画像撮影装置１０によって撮影された静止画像の画像データが保持されている。
【００７３】
この画像データ保持部３１ａには、画像データと共に、その画像がどのような方向で表示されるべきかを示す情報（方向指示情報）も保持されている。このうち、方向指示情報は、本実施形態１−３では使用されず、画像データのみが使用される。
【００７４】
この画像データは、デジタルカメラによって撮影された画像データそのものであるため、例えば横長の方向が通常の画像方向である場合に、本実施形態１−１の画像撮影装置１０によって撮影されて方向指示情報が通常の画像方向と異なると指定された場合でも、同一種類のデジタルカメラで撮影された横長の画像となる。このように、横長の画像であれば、画像の内容に関係なく、同一の形状（縦の画素数と横の画素数が揃った）の画像が得られている。したがって、画像表示方向を考慮しない場合には、同一種類のデジタルカメラによって撮影された画像には、縦方向が長いものと横方向が長いものとが混在することはない。
【００７５】
画像構成部３１ｂでは、画像データ保持部３１ａに保持されている画像データが読み取られ、印刷用データとして構成される。画像出力部３１ｃによって、各種のプリンタ装置３２に適したプリンタ制御データに変換され、プリンタ装置３２に送出される。
【００７６】
なお、本実施形態１−３では、画像構成部３１ｂによって画像データを構成し、画像出力部３１ｃによってプリンタ装置３２に適したデータに変換したが、画像構成部３１ｂと画像出力部３１ｃとの境界が厳密ではない場合もある。この場合にも、画像データ保持部３１ａに保持されている画像データと方向指示情報のうち、画像データのみが参照され、画像の表示時と異なって画像の向きの回転は行われない。
【００７７】
上記構成により、以下に、本実施形態１−３の画像印刷装置３０による画像印刷動作について説明する。
【００７８】
図７は、本実施形態１−３の画像印刷装置３０における画像印刷動作の処理手順を示すフローチャートである。この処理手順は、例えば画像構成部３１ｂに設けられたＲＯＭ内に制御プログラムとして格納されており、画像構成部３１ｂに設けられたＣＰＵによってこの制御プログラムが参照されて各処理ステップが行われる。
【００７９】
図７に示すように、ステップＳ２１において、通常のプリンタ用静止画データ生成装置の場合と同様に、画像データ保持部３１ａに保持されている画像データが画像構成部３１ｂに読み出されて画像データが構成され、画像出力部３１ｃによってプリンタ装置３２に適したデータに変換される。このとき、画像データと共に方向指示情報が存在する場合でも、この方向指示情報は使用されず、画像の向きは回転されない。
【００８０】
その後、ステップＳ２２において、画像データ（印刷用データ）がプリンタ装置３２に供給されて画像が用紙上に印刷される。
【００８１】
以上のように、本実施形態１−３によれば、画像データと方向指示情報のうち、画像データのみが参照され、表示の場合のように方向指示情報によらずに画像の回転が行われないため、画像撮影装置１０により撮影したままの同一形状の長辺と短辺の向きが揃った画像が得られる。これによって、プリンタ装置３２に用紙を供給する際に、画像によって用紙の切替を行なわなくてもよい。自動用紙選択を行うことができない安価なプリンタ装置３２では、縦方向と横方向の用紙を併用する場合には用紙の切替のための手間が避けられないが、このように同一方向に揃って出力される場合には、用紙の方向を揃えて用紙をプリンタ装置３２に供給すればよい。印刷後に用紙の方向を人手によって整理することは簡単であるため、手間とコストを削減することができる。
（実施形態２−１）
本実施形態２−１では、撮影動画像の属性情報の一つとして、本来上辺（または下辺）である方向（天地方向）を示す情報を撮影者が指定入力して、その指定入力した方向指示情報を動画像データと共に保持する場合の動画像の画像撮影装置について説明する。上記実施形態１−１では静止画像を対象としていたが、本実施形態２−１では動画像を対象としている。
【００８２】
図８は、本実施形態２−１の画像撮影装置の基本構成例を示すブロック図である。
【００８３】
図８に示すように、画像撮影装置４０は、録画ボタン４１と、撮影部４２と、画像入力部４３と、動画構成部４４と、動画出力部４５と、方向指示部４６と、動画記録部４７とを有し、撮影部４２で撮影した動画像自体はその向きを変えずに撮影したままの画像として動画記録部４７に保存しておき、撮影動画像の属性情報の一つとして、本来上辺（または下辺）である方向（天地方向）を示す情報を撮影者が方向指示部４６から入力指定した方向指示情報を画像データと共に動画記録部４７に保持するものである。なお、基本的な構成としては、図１の静止画像に対応している部分を動画像に対応させたものである。
【００８４】
上記構成により、録画ボタン４１の操作により動画の録画が開始される。動画の録画が開始されると、撮影部４２で撮影された映像が画像データとして画像入力部４３に入力される。この画像入力部４３から入力された画像データは、動画構成部４４によって実際の画像を表す画像データに構成される。例えば、ＣＣＤのベイヤデータから３元色データのＲＧＢデータなどに変換される。動画構成部４４で構成された画像データは、動画出力部４５から外部メモリカードなどの動画記録部４７に保存される。
【００８５】
ここまでは、通常のデジタルビデオカメラなどと大きな違いはないが、本実施形態２−１の画像撮影装置４０では、さらに、方向指示部４６によって指定された画像の天地方向を示す方向指示情報が、動画記録部４７に画像データと共に記録される。なお、画像データおよび方向指示情報は、図示しない送受信部を更に設けて通信路上に伝送して送受信するようにしてもよい。
【００８６】
上記構成により、以下に、本実施形態２−１の画像撮影装置４０による画像撮影動作について説明する。
【００８７】
図９は、本実施形態２−１の画像撮影装置４０における画像撮影動作の処理手順を示すフローチャートである。この処理手順は、動画構成部４４に設けられたＲＯＭ内に制御プログラムとして格納されており、動画構成部４４に設けられたＣＰＵによってその制御プログラムが参照されて各処理が行われる。
【００８８】
図９に示すように、ステップＳ３１において、録画ボタン４１から撮影部４２に動画撮影の開始指示を受けると、ステップＳ３２において、方向指示部４６からの方向指示情報の取得および保存が動画記録部４７（外部記憶装置）で行われる。このように、撮影を行なう際に撮影者によって方向指示部４６から指定入力された動画像の天地方向を示す情報（方向指示情報）が動画記録部４７（外部記憶装置）で取得され、その情報が画像データの属性の一つとして動画記録部４７（外部記憶装置）に保存される。
【００８９】
その後、ステップＳ３３で動画データの取得および保存が行われる。このとき、通常の画像データが方向指示情報と共に外部記憶装置に保存される。ステップＳ３３の動画データ取得・保存は、動画撮影が停止されるまで継続されるが、ステップＳ３２の方向指示情報取得・保存は撮影開始時に行なわれるだけであるため、通常のビデオカメラに対して、ステップＳ３１の処理を一度行なう処理が増加するだけである。
【００９０】
以上のように、本実施形態２−１によれば、画像自体は方向（向き）を変換させずにそのまま画像データとして保存しておき、撮影画像の属性情報の一つとして、その画像において本来上辺（または下辺）である方向（天地方向）を示す方向指示情報を撮影者が指定して、その方向指示情報を画像データと共に保持するため、撮影時の処理は最小限でよく、従来のような高速処理可能な信号処理装置を用いる必要はない。
【００９１】
また、動画像撮影時には、撮影時間に比例することなく、動画像の撮影開始時に動画像の天地方向を再生のために指定することが可能であり、例えば携帯電話器などのような電子情報機器の低消費電力化を図ることが可能である。
（実施形態２−２）
本実施形態２−２では、画像撮影装置４０で撮影した動画像を表示画面上に表示する画像表示装置について説明する。
【００９２】
図１０は、本実施形態２−２の画像表示装置の基本構成例を示すブロック図である。
【００９３】
図１０に示すように、画像表示装置５０は、動画データ保持部５１ａと、方向参照部５１ｂと、動画構成部５１ｃと、動画出力部５１ｄとを含む画像生成装置５１と、表示部としての動画出力装置５２とを有し、撮影した動画像の向きを指定して動画像を表示画面上に表示する。基本的な構成は、図４の静止画像に対応している部分を動画像に対応させたものである。
【００９４】
動画データ保持部５１ａは、例えば外部メモリカードなどで構成されており、本発明の画像撮影装置４０によって撮影された動画の画像データが保持している。この動画データ保持部５１ａには、画像データと共に、その画像がどのような方向で表示されるべきかを示す情報（方向指示情報）が保持されている。このうち、方向指示情報が方向参照部５１ｂによって参照される。
【００９５】
画像構成部５１ｃでは、動画データ保持部５１ａに保持されている動画像の画像データが読み取られ、方向参照部５１ｂからの情報にしたがって本来上方向（または下方向）であるべき辺が上（または下）に表示されるように、必要であれば画像の向きを回転させて表示用データとして構成する。必要でなければ画像の向きを回転させず撮影画像の向きのままで表示用データとして構成する。この表示用データは、動画出力部５１ｄから出力されて、液晶表示装置などの動画出力装置５２に送出されて画像表示される。
【００９６】
なお、例えば撮影された画像データをテレビジョン装置で参照するような場合には、機器に画面表示させる必要がない。よって、この場合には、画像表示装置５０は、表示用の動画出力装置５２を設けずに、動画データ保持部５１ａと、方向参照部５１ｂと、動画構成部５１ｃと、動画出力部５１ｄとを含む画像生成装置５１だけで、画像生成装置として構成してもよい。この場合、動画出力部５１ｄからの出力動画信号が適切なテレビジョン形式でテレビジョン装置などの外部表示装置に送出されて表示されるようになっていればよい。
【００９７】
上記構成により、以下に、本実施形態２−２の画像表示装置５０による画像表示動作について説明する。
【００９８】
図１１は、本実施形態２−２の画像表示装置５０における画像表示動作の処理手順を示すフローチャートである。この処理手順は、例えば動画構成部５１ｃに設けられたＲＯＭに制御プログラムとして格納されており、動画構成部５１ｃに設けられたＣＰＵによってこの制御プログラムが参照されて各処理ステップが行われる。
【００９９】
ステップＳ４１において、動画データ保持部５１ａに保持されている画像データの属性の一つである方向指示情報が方向参照部５１ｂに読み出され、次に、ステップＳ４２において、動画データ保持部５１ａに保持されている画像データが動画構成部５１ｃに読み出される。この順序は入れ替わってもよい。
【０１００】
次に、ステップＳ４３において、ステップＳ４２で読み出された画像データを動画構成部５１ｃによって構成する際に、ステップＳ４１で読み出された方向指示情報が参照され、その情報にしたがって必要に応じて画像が回転される。なお、カメラの撮影方向によっては、回転させる必要がない場合もあり、そのときには画像が回転されずにそのまま表示される。また、画像の天地方向を示す方向指示情報が存在しない場合にも同様（画像が回転されずそのまま表示）である。
【０１０１】
その後、ステップＳ４４において、回転済の画像データ（表示用データ）が動画出力部５１ｄから動画出力装置５２に供給されて画像が表示画面上に表示される。
【０１０２】
なお、ここでは順次処理を行なうように記載したが、ステップＳ４２〜Ｓ４４の各処理は、適切なデータ量毎に、例えば動画を構成する１枚の静止画毎に行なうことも可能である。この場合には、動画像の全データ分、この三つのステップが繰り返される。このときにも、ステップＳ４１の処理は一度だけ実行される。
【０１０３】
以上のように、本実施形態２−２によれば、表示時に方向指示情報を参照して動画データを必要に応じて回転させて本来の向きの表示用データを生成することができるため、撮影者が意図した方向で画像を再生することが可能となる。
（実施形態２−３）
本実施形態２−３では、画像撮影装置４０で撮影した動画像を紙面上に印刷する本発明の画像印刷装置について説明する。
【０１０４】
図１２は、本実施形態２−３の画像印刷装置の基本構成例を示すブロック図である。
【０１０５】
図１２に示すように、画像印刷装置６０は、動画データ保持部６１ａと、画像構成部６１ｂと、画像出力部６１ｃとを含む画像生成装置６１と、印刷部としてのプリンタ装置６２とを有し、画像撮影装置４０で撮影した同一形状の長辺と短辺の向きが揃った動画像を紙面上に印刷する。
【０１０６】
動画データ保持部６１ａは、例えば外部メモリカードなどであり、本発明の画像撮影装置４０によって撮影された動画像の画像データが保持されている。この動画データ保持部６１ａには、画像データと共に、その画像がどのような方向で表示されるべきかを示す情報（方向指示情報）が保持されている。このうち、方向指示情報は、本実施形態２−３では使用されず、画像データのみが使用される。
【０１０７】
画像構成部６１ｂでは、画像データ保持部６１ａに保持されている動画像の画像データのうち、指定された一場面が静止画像として取り出されて、印刷用データとして構成される。   
【０１０８】
画像データは、例えばデジタルビデオカメラなどの画像撮影装置４０によって撮影された画像データそのものであるため、例えば横長の方向が通常の画像方向である場合に、本発明の画像撮影装置４０によって撮影されて方向指示情報が通常の画像方向と異なると指定された場合であっても、同一種類の機器で撮影された画像であれば、動画像から一場面が指定されて切り出された静止画像は、画像の内容に関係なく、同一の形状（縦の画素数と横の画素数が揃った）の画像が得られている。したがって、画像表示方向を考慮しない場合には、同一種類の機器によって撮影された画像には、縦方向が長いものと横方向が長いものとが混在することはない。
【０１０９】
その後、画像出力部６１ｃによって、各種プリンタ装置６２に適したプリンタ制御データに変換されて、プリンタ装置６２に送出される。
【０１１０】
なお、本実施形態２−３では、画像構成部６１ｂによって画像データを構成し、画像出力部６１ｃによってプリンタ装置６２に適した画像データに変換したが、画像構成部６１ｂと画像出力部６１ｃとの境界が厳密でない場合もある。この場合にも、動画データ保持部６１ａに保持されている動画像の画像データと方向指示情報のうち、画像データのみが参照され、動画像の表示時と異なって画像の回転は行われない。
【０１１１】
上記構成により、以下に、本実施形態１−３の画像印刷装置６０による画像印刷動作について説明する。
【０１１２】
図１３は、本実施形態２−３の画像印刷装置６０における画像印刷動作の処理手順を示すフローチャートである。この処理手順は、例えば画像構成部６１ｂに設けられたＲＯＭに制御プログラムとして格納されており、画像構成部６１ｂに設けられたＣＰＵによってこの制御プログラムが参照されて各処理ステップが行われる。
【０１１３】
図１３に示すように、ステップＳ５１において、動画データ保持部６１ａに保持されている動画像のうち、指定された位置場面が静止画像として取り出され、その画像データが画像構成部６１ｂに読み出されて画像データが構成される。画像出力部６１ｃによってプリンタ装置６２に適したデータに変換される。このとき、画像データと共に方向指示情報が存在する場合でも、この情報は使用されず、画像方向は回転されない。
【０１１４】
その後、ステップＳ５２において、画像データ（印刷用データ）がプリンタ装置６２に供給されて画像が用紙上に印刷される。
【０１１５】
以上のように、本実施形態２−３によれば、画像データと方向指示情報のうち、画像データのみが参照され、方向指示情報によらずに画像の向きの回転が行われないため、画像撮影装置４０によって撮影された同一形状の長辺と短辺の向きが揃った画像が用紙上に印刷される。よって、プリンタ装置６２に用紙を供給する際に、画像によって用紙の切替を行なわなくてもよい。自動用紙選択を行うことができない安価なプリンタ装置６２では、縦方向と横方向の用紙を併用する場合には用紙の切替のための手間が避けられないが、このように同一方向に揃って出力される場合には、用紙の方向を揃えて用紙をプリンタ装置６２に供給すればよい。印刷後に用紙の方向を人手によって整理することは簡単であるため、手間とコストを削減することができる。
（実施形態３）
本実施形態３では、デジタルカメラのシャッターボタンまたはデジタルビデオカメラの録画開始ボタンを複数個設けて方向指示情報と対応付けた画像撮影装置の他の例について説明する。
【０１１６】
図１４は、本実施形態３の画像撮影装置における操作部の様子を示す模式図である。
【０１１７】
図１４に示すように、本実施形態３の画像撮影装置の操作部７０は、モニタ部分７１と、シャッターボタンまたは録画開始ボタン７２ａ〜７２ｄとを有している。なお、この操作部７０は方向指示部６または４６を構成している。
【０１１８】
モニタ部分７１には、実際に撮影される静止画像または動画像がモニタ表示される。
【０１１９】
ボタン７２ａ〜７２ｄは、モニタ部分７１の上部、左部、右部および下部の各辺と対応付けられており、各部分（各辺）を上方向に指定するために用いられる。
【０１２０】
上記構成により、例えば、モニタ部分７１に上部（上辺）を上方向とする画像が映し出されており、再生時にも同様に表示したい場合には、ボタン７２ａを操作して撮影などを行うことができる。このように、４個のボタンのうち、１個のボタンを操作することによって、映像（画像）の天地方向を示す方向指示情報の指定と、撮影の開始指示とを、一つの操作のみで行なうことが可能である。
【０１２１】
図１５は、図１４の画像撮影装置を縦に構えて撮影した場合の操作部７０の様子を示す模式図である。
【０１２２】
図１５に示すように、モニタ部分７１には図１４に比べて右に９０度回転された画像が映し出されており、再生時にも同様に表示したい場合には、この画像の上方向を示すボタン７２ｃを操作して撮影開始および方向指示などを同時に行うことができる。このように、４個のボタンのうち、１個のボタンを選択して操作することによって、映像（画像）の天地方向を示す方向指示情報の指定と、撮影の開始指示とを、一つの操作のみで行なうことが可能である。
【０１２３】
上記構成により、以下に、本実施形態３の画像撮影装置の操作部７０による画像撮影動作について説明する。
【０１２４】
図１６は、本実施形態３の画像撮影装置が静止画像を対象としたデジタルカメラである場合について、プログラムの処理手順を示すフローチャートである。
【０１２５】
図１６に示すように、まず、ステップＳ６１において、シャッターボタンの押下が検出されると、ステップＳ６２において、複数設けられているシャッターボタンのうち、どのボタンを押し下げることによって撮影が行われたかが判別される。
【０１２６】
次に、ステップＳ６３において、そのボタンに対応付けられた画像の方向指示情報（天地情報）が、これから保存される画像の属性として記憶される。その後、ステップＳ６４において、通常のデジタルカメラによる撮影処理と同様に、画像データが取得および構成されて保存される。
【０１２７】
以上のように、静止画像の場合に、シャッターボタンを画像の天地方向を指示するための方向指示部として兼用することができる。また、シャッターボタンの位置を工夫して、例えばどのようにカメラを構えた場合でも右上にそのときの天地方向に応じたシャッターボタンが配置されているようにすることによって、例えばカメラを９０度の倍数で回転させた状態で撮影した場合でも、撮影者がこの機能について何ら考慮することなく、画像データと共に画像の方向（方向指示情報）を記録・保存することができる。
【０１２８】
図１７は、本実施形態３の画像撮影装置が動画像を対象としたデジタルビデオカメラである場合について、その制御プログラムの処理手順を示すフローチャートである。
【０１２９】
図１７に示すように、まず、ステップＳ７１において、録画開始ボタンの押下げが検出されると、ステップＳ７２において、複数設けられている録画開始ボタンのうち、どのボタンを押下げることによって録画が開始されたかが判別される。
【０１３０】
次に、ステップＳ７３において、そのボタンに対応付けられた画像の方向指示情報（天地情報）が、これから保存される動画像の属性として記憶される。その後、ステップＳ７４において、通常のデジタルビデオカメラによる撮影処理と同様に、録画終了指示があるまで、動画像データの取得、構成および保存が繰り返し行われる。
【０１３１】
したがって、動画像の場合にも、静止画像の場合と同様に、録画開始ボタンを画像の天地方向を指示するための方向指示部として兼用して、画像データと共に画像の方向（方向指示情報）を記録・保存することができる。
【０１３２】
以上のように、上記実施形態１〜３によれば、撮影時には、画像の上方向または下方向（天地方向）を示す情報を撮影者が方向指示部から指定可能とし、その方向指示情報を画像データと共に画像記録部に記録保持する。このとき、画像データは、向きを回転させずにそのまま保存する。画像表示時には、画像データと共に保持されている方向指示情報を参照して、画像データ（画像の向き）を必要に応じて回転させる。画像印刷時には、方向指示情報に関わらず、画像の向きを回転させない。これによって、静止画像および動画像ともに、低処理量で、撮影者が意図した方向で画像再生を行うことができる。
【０１３３】
なお、動画像の場合には、録画終了の指示を行なう必要があるが、この終了指示ボタンは、例えば録画開始ボタンを押している間は録画を続けるというものであれば、録画開始ボタンと同じ数だけ（機能として）存在することになるが、終了指示ボタンを別途設ける場合には、指示方向の数だけ設けられていなくてもよく、一つでもよい。これは、撮影開始時に方向情報が得られているので、撮影終了時には終了という情報だけが得られればよいためである。
【０１３４】
なお、上記実施形態１，２では、画像データおよび方向指示情報は、図示しない送受信部を更に設けて通信路上に伝送して送受信する場合についても説明したが、さらに具体的に説明すると、例えば画像撮影装置１０（または４０）と画像表示装置２０（または５０）が一方および他方の携帯電話装置に設けられている場合に、本発明の画像データおよび方向指示情報は、一方の携帯電話装置から送信され他方の携帯電話装置で受信されてその他方の携帯電話装置の画像表示装置２０（または５０）にて表示画面上に画像表示される場合もある。
【０１３５】
また、上記実施形態１〜３では特に説明しなかったが、本発明の可読記録媒体は、ＲＯＭとして、各種ＩＣメモリ、光ディスク（ＣＤ）および磁気記録媒体（ＦＤ）などの小型携帯用可読記録媒体であって、本発明の制御プログラムがコンピュータ読み取り可能な可読記録媒体であり、この読み取られた制御プログラムはワークメモリのＲＡＭに格納されてＣＰＵ（中央演算処理装置）により各処理ステップが実行可能とされる。
【０１３６】
以上のように、本発明の好ましい実施形態１〜３を用いて本発明を例示してきたが、本発明は、この実施形態１〜３に限定して解釈されるべきものではない。本発明は、特許請求の範囲によってのみその範囲が解釈されるべきであることが理解される。当業者は、本発明の具体的な好ましい実施形態１〜３の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１３７】
本発明は、デジタル画像を撮影可能とする画像撮影装置およびその画像撮影方法、その画像撮影装置により撮影された画像データから表示用データまたは印刷用データを生成する画像生成装置およびその画像生成方法、その画像生成装置で得られた表示用データをモニタなどに表示する画像表示装置、その画像生成装置で得られた印刷用データをプリンタ装置などで印刷する画像印刷装置、それらの方法をコンピュータによって処理するための制御プログラムおよびその制御プログラムが格納された可読記憶媒体の分野において、  静止画像だけでなく、動画像についても、低処理量かつ低消費電力で、撮影者が意図した方向で表示させることが可能である。また、印刷時には用紙の方向を切り替えたり、画像の種類毎に分割して印刷処理する必要もなく、手間とコストを削減することができる。本発明は、デジタルカメラ、デジタルビデオカメラ、カメラ機能付き携帯電話器に利用することが可能であり、また、このような画像撮影装置で撮影された画像をテレビジョン装置をモニタとして多人数で鑑賞したり、画像を送受信してコミュニケーションを行うなど、様々な利用方法が考えられる。
【図面の簡単な説明】
【０１３８】
【図１】本実施形態１−１の画像撮影装置の基本構成例を示すブロック図である。
【図２】図１の画像撮影装置の具体的ハード構成例（実装例）を示すブロック図である。
【図３】図１の画像撮影装置における画像撮影動作の処理手順を示すフローチャートである。
【図４】本実施形態１−２の画像表示装置の基本構成例を示すブロック図である。
【図５】図４の画像表示装置における画像表示動作の処理手順を示すフローチャートである。
【図６】本実施形態１−３の画像印刷装置の基本構成例を示すブロック図である。
【図７】図６の画像印刷装置における画像印刷動作の処理手順を示すフローチャートである。
【図８】本実施形態２−１の画像撮影装置の基本構成例を示すブロック図である。
【図９】図８の画像撮影装置における画像撮影動作の処理手順を示すフローチャートである。
【図１０】本実施形態２−２の画像表示装置の基本構成例を示すブロック図である。
【図１１】図１０の画像表示装置における画像表示動作の処理手順を示すフローチャートである。
【図１２】本実施形態２−３の画像印刷装置の基本構成例を示すブロック図である。
【図１３】図１２の画像印刷装置における画像印刷動作の処理手順を示すフローチャートである。
【図１４】本実施形態３の画像撮影装置における操作部の様子を示す模式図である。
【図１５】図１４の画像撮影装置を縦に構えて撮影した場合の操作部の様子を示す模式図である。
【図１６】図１４の画像撮影装置が静止画像を対象としたデジタルカメラである場合について、その制御プログラムの処理手順を示すフローチャートである。
【図１７】図１４の画像撮影装置が動画像を対象としたデジタルビデオカメラである場合について、その制御プログラムの処理手順を示すフローチャートである。
【符号の説明】
【０１３９】
１  シャッターボタン
２  撮影部
２ａ イメージセンサ
２ｂ レンズ
３  画像入力部
４  画像構成部
４ａ ＣＰＵ
４ｂ ＲＯＭ／ＲＡＭ
５  画像出力部
６  方向指示部
７  画像記録部
７ａ  外部記憶装置
８  バスライン
１０，４０  画像撮影装置
２０，５０  画像表示装置
２１  画像生成装置
２１ａ 画像データ保持部
２１ｂ 方向参照部
２１ｃ 画像構成部
２１ｄ 画像出力部
２２ 画像出力装置
３０，６０  画像印刷装置
３１  画像生成装置
３１ａ 画像データ保持部
３１ｂ 画像構成部
３１ｃ 画像出力部
３２  プリンタ装置
４１ 録画ボタン
４２ 撮影部
４３ 画像入力部
４４ 動画構成部
４５ 動画出力部
４６ 方向指示部
４７ 動画記録部
５１  画像生成装置
５１ａ 動画データ保持部
５１ｂ 方向参照部
５１ｃ 動画構成部
５１ｄ 動画出力部
５２ 動画出力装置
６１ 画像生成装置
６１ａ  動画データ保持部
６１ｂ 画像構成部
６１ｃ 画像出力部
７０ 操作部
７１ モニタ部分
７２ａ〜７２ｄ シャッターボタンまたは録画開始ボタン
【図１】
2006025058.tif 000003
【図２】
2006025058.tif 000004
【図３】
2006025058.tif 000005
【図４】
2006025058.tif 000006
【図５】
2006025058.tif 000007
【図６】
2006025058.tif 000008
【図７】
2006025058.tif 000009
【図８】
2006025058.tif 000010
【図９】
2006025058.tif 000011
【図１０】
2006025058.tif 000012
【図１１】
2006025058.tif 000013
【図１２】
2006025058.tif 000014
【図１３】
2006025058.tif 000015
【図１４】
2006025058.tif 000016
【図１５】
2006025058.tif 000017
【図１６】
2006025058.tif 000018
【図１７】
2006025058.tif 000019